(57)【要約】【課題】商品に名入れを行う際の見本状態を、実物に近い状態で確認することができる商品カタログを提供する。【解決手段】カタログ１内の頁片２の表面２ａに商品を実物大で印刷した商品印刷部４に、前記商品において名入れが可能な領域を商品印刷部の窓部４ａとして形成することにより、商品印刷部４の裏側に配した印刷物１００ａを窓部４ａから表示させ、商品印刷部４ａと印刷物１００ａとを組み合わせて商品に名入れを施したイメージを呈する構造とした。【選択図】図４
2011104882.tif 000002
【特許請求の範囲】
【請求項１】
カタログ内の頁片の表面に印刷した商品の実物大の商品印刷部に、前記商品において名入れが可能な領域を前記商品印刷部の窓部として形成し、前記商品印刷部の裏側に配した印刷物を前記窓部から表示させ、前記商品印刷部と前記印刷物とを組み合わせて前記商品に名入れを施したイメージを呈することを特徴とした商品カタログ。
【請求項２】
一枚の頁片の表表面および裏表面に、名入れが可能な領域が等しい二つの異なる商品印刷部を、互いの窓部が重なるように設けたことを特徴とする請求項１に記載の商品カタログ。
【請求項３】
前記頁片に隣接する隣接頁片に参考印刷部を設け、前記頁片と前記隣接頁片とを重ねた状態で当該頁片の前記商品印刷部の窓部から当該隣接頁片の参考印刷部を表示させることを特徴とする請求項１または請求項２に記載の商品カタログ。
【発明の詳細な説明】
【技術分野】
【０００１】
本発明は、商品画像を掲載した商品カタログに関する。
【背景技術】
【０００２】
従来より筆記具などの小物商品は、特開平７−２７６８８７のように、商品の表面に企業名や企業ロゴ等の印刷いわゆる名入れを施して、ノベルティとして利用されることがある。しかし商品に名入れを施した完成状態を、商品画像を掲載したカタログだけを見てイメージとして的確に掴むことは難しく、さらに筆記具のように表面積が小さく形態的にも多種多様あるものでは、商品ごとに名入れができる部位や範囲が特に限定されており、商品カタログに記載されている印刷可能範囲の寸法数値だけを見て、筆記具の名入れスペースに対して目的とする名入れ文字の寸法が適合するかどうか、あるいはその完成状態が目的に見合っているかどうかを予め確認することが難しかった。
【特許文献１】特開平７−２７６８８７号公報
【発明の開示】
【発明が解決しようとする課題】
【０００３】
本発明は、商品に名入れを行う際の見本状態を、実物に近い状態で確認することがで
きる商品カタログを提供することを目的とした。
【課題を解決するための手段】
【０００４】
本発明は、
「１．カタログ内の頁片の表面に印刷した商品の実物大の商品印刷部に、前記商品において名入れが可能な領域を前記商品印刷部の窓部として形成し、前記商品印刷部の裏側に配した印刷物を前記窓部から表示させ、前記商品印刷部と前記印刷物とを組み合わせて前記商品に名入れを施したイメージを呈することを特徴とした商品カタログ。
２．一枚の頁片の表表面および裏表面に、名入れが可能な領域が等しい二つの異なる商品印刷部を、互いの窓部が重なるように設けたことを特徴とする１項に記載の商品カタログ。
３．前記頁片に隣接する隣接頁片に参考印刷部を設け、前記頁片と前記隣接頁片とを重ねた状態で当該頁片の前記商品印刷部の窓部から当該隣接頁片の参考印刷部を表示させることを特徴とする１項または２項に記載の商品カタログ。」である。
【０００５】
カタログに設ける商品印刷部は、商品の実物大で印刷した商品写真あるいは商品イラストであり、また商品印刷部に設ける窓部は、例えば、紙でカタログを構成する場合には、商品印刷部における印刷可能範囲を切り欠いた開口部としたり、あるいは薄い樹脂フィルムでカタログを構成する場合には、透明フィルムを用いて印刷可能範囲を印刷せずに透明部とすればよい。
尚、窓部を設けた商品印刷部の近くに、実際の商品写真などの商品画像を並べて掲載することで、さらにイメージを掴みやすい商品カタログとなる。
【発明の効果】
【０００６】
本発明の商品カタログによれば、商品に名入れをした状態を実寸大で的確にイメージすることが可能となる。
【図面の簡単な説明】
【０００７】
【図１】本実施例のカタログを開いた状態を示す図である。
【図２】図１の頁片の裏表面側を開いた状態を示す図である。
【図３】頁片の裏側に名刺を差し込む状態を示す図である。
【図４】頁片の裏側に名刺を差し込んだ状態を示す図である。
【図５】名入れを施した商品の斜視図である。
【図６】頁片の表側に名刺を差し込んだ状態を示す図である。
【発明を実施するための形態】
【０００８】
商品への名入れ状態を的確にイメージすることができる商品カタログを実現した。
【実施例】
【０００９】
次に図面を参照しながら本実施例の説明を行う。図１に示すようにカタログ１は、紙で形成した頁片２の表表面２ａに、三種類の筆記具形状の商品印刷部３，４，５を実寸で印刷してあり、各筆記具形状の商品印刷部の左側には、それぞれの製品名を印刷してある。また商品印刷部３，４，５には窓部３ａ，４ａ，５ａを切り欠いて名入れが可能な部位を示してあり、各筆記具形状の印刷部の左上には、それぞれの製品名を印刷してある。図２は図１で示した頁片２の裏側を示し、裏表面２ｂには前記商品印刷部３，４，５とは異なる三種類の筆記具形状の商品印刷部６，７，８を実寸で印刷し、名入れが可能な部位には窓部６ａ，７ａ，８ａを切り欠いてある。また表表紙２ａと同様に、各筆記具形状の商品印刷部の左上に製品名を印刷してある。本実施例では、名入れが可能な部位の寸法が共通である商品印刷部を、頁片２の表表面２ａと裏表面２ｂとで互いの窓部が合致するように配置してある。
【００１０】
図３に示すように本実施例では、頁片２の裏側で隣接する隣接頁片２０の表面２０ａに、参考例を示す参考印刷部２１ａ，２１ｂ，２１ｃを設けてあり、頁片２と隣接頁片２０とを重ねた状態で、商品印刷部３，４，５の窓部３ａ，４ａ，５ａから参考印刷部２１ａ，２１ｂ，２１ｃを表示できるようにしてある。また図３に示すように、頁片２と隣接頁片２０との間に差し込む名刺１００には、「ＡＢＣＤＥＦＧ」のロゴ１００ａが印刷されており、頁片２と隣接頁片２０との間に名刺１００を差し込み、名刺１００のロゴ１００ａを商品印刷部４の窓部４ａに位置合わせした場合、図４に示すように窓部４ａを通して名刺１００のロゴ１００ａを見ることができるので、商品に名入れを施した状態を的確にイメージすることができた。この様にしてイメージを確認した後に、実際に商品としたものが図５に示したものであり、ボールペン４０に名入れ印刷５０を設けた商品６０は、図４のカタログ１で名入れ状態を確認したものと近いものに仕上った。
【００１１】
次に、頁片２の裏表面２ｂで、商品に名入れした状態をイメージするときについて説明を行う。図６は、頁片２と隣接頁片３０との間に名刺１００を差し込み、ロゴ１００ａを商品印刷部７の窓部７ａに位置合わせした状態の図である。本実施例では、隣接頁片３０の表面３０ａにも、名入れの見本を示すための参考印刷部３１ａ，３１ｂ（図示せず），３１ｃを設けてあり、頁片２と隣接頁片２０とを重ねた状態で、商品印刷部６，７，８の窓部６ａ，７ａ，８ａから参考印刷部３１ａ，３１ｂ，３１ｃを表示できるようにしてある。
【産業上の利用可能性】
【００１２】
本発明の商品カタログは、筆記具のカタログ以外にも、商品カタログに実寸で掲載できる大きさの商品であれば適用させることができる。
【符号の説明】
【００１３】
１…カタログ、２…頁片、２ａ…表表面、２ｂ…裏表面、
３，４，５…商品印刷部、３ａ，４ａ，５ａ…窓部、
６，７，８…商品印刷部、６ａ，７ａ，８ａ…窓部、
２０…隣接頁片、２０ａ…表面、
２１ａ，２１ｂ，２１ｃ…参考印刷部、
３０…隣接頁片、３０ａ…表面、
３１ａ，３１ｂ，３１ｃ…参考印刷部、
４０…ボールペン、５０…名入れ印刷、６０…商品、
１００…名刺、１００ａ…ロゴ。
【図１】
2011104882.tif 000003
【図２】
2011104882.tif 000004
【図３】
2011104882.tif 000005
【図４】
2011104882.tif 000006
【図５】
2011104882.tif 000007
【図６】
2011104882.tif 000008